(57)【要約】【課題】大量の紙幣を入れられる財布といえば長財布のみであり、折りたたみの財布は構造上、大量の紙幣を収納することが出来なかった。【解決手段】紙幣と概略同一、または大きめの形状を有し、天然皮革もしくは合成皮革からなる第１シート（１）と、この第１シート（１）の一方の面に配置され、前記第１シート（１）の長手方向両端に、長手方向両端部が結合され、幅が第１シート（１）より短い第２シート（２）と、前記第１シート（１）の他方の面に設けられ、前記第１シート（１）および前記第２シート（２）を二つ折りに閉じた状態に維持できる留め具（３）および（４）と、を備え、前記閉じた状態で前記第１シート（１）と第２シート（２）の間に紙幣を挟んで固定する。【選択図】図１
2014091039.tif 000002
【特許請求の範囲】
【請求項１】
紙幣と概略同一、または大きめの形状を有し、天然皮革もしくは合成皮革からなる第１シート（１）と、この第１シート（１）の一方の面に配置され、前記第１シート（１）の長手方向両端に、長手方向両端部が結合され、幅が第１シート（１）より短い第２シート（２）と、前記第１シート（１）の他方の面に設けられ、前記第１シート（１）および前記第２シート（２）を二つ折りに閉じた状態に維持できる留め具（３）および（４）と、を備え、前記閉じた状態で前記第１シート（１）と第２シート（２）の間に紙幣を挟んで固定できることを特徴とする折りたたみ財布。
【請求項２】
前記第２シート（２）にバックル（５）を備えることを特徴とする請求項記載１の折りたたみ財布。
【請求項３】
前記第１シート（１）の前記一方の面に、第３シートを複数縫製し、カード類を入れるポケットを形成することを特徴とする請求項記載１または請求項記載２の折りたたみ財布。
【発明の詳細な説明】
【発明の詳細な説明】
【技術分野】
【０００１】  この発明は、多量の紙幣を折りたたみ形式で収納することが可能な財布に関する。
【技術背景】
【０００２】  財布は日用品として誰もが所持する物であり、非常に多くの製品が存在している。長財布、折りたたみ財布、札バサミ等種類は色々あり、好みや使用目的で使い分けるが、折りたたみ財布を所持している人の割合は特に多い。
【発明が解決しようとする課題】
【０００３】  大量の紙幣を入れられる財布といえば長財布のみであり、折りたたみ式の財布には存在しない。なぜならば、折りたたみ式の財布は、二枚のシートの三辺を縫い合わせ、縫っていない一辺から紙幣を出し入れする形状になっているので、多数の紙幣を入れて折りたたもうとしても、財布を構成するシートの外面が伸びることが出来ないので、折りたたむことが構造上、不可能であった。
【０００４】  シンプルな形状で重量が軽い札バサミなどもあるが、収納できる紙幣の枚数は、一般的に１０枚以下と非常に少なく、カード等の収納も不向きである。
よって、多量の紙幣を収納する場合は、長財布を使用するしかなかった。
【０００５】  この発明は、上記のような課題を解決する為に提案したものであり、軽量でありながら、１枚から１００枚以上と広範囲に紙幣を収納でき、紙幣の出し入れも簡単な折りたたみ財布を提供することにある。
【課題を解決するための手段】
【０００６】  請求項１に係わる発明は、紙幣と概略同一、または大きめの形状を有し、天然皮革もしくは合成皮革からなる第１シート（１）と、この第１シート（１）の一方の面に配置され、前記第１シート（１）の長手方向両端に、長手方向両端部が結合され、幅が第１シート（１）より短い第２シート（２）と、前記第１シート（１）の他方の面に設けられ、前記第１シート（１）および前記第２シート（２）を二つ折りに閉じた状態に維持できる留め具（３）および（４）と、を備え、前記閉じた状態で前記第１シート（１）と第２シート（２）の間に紙幣を挟んで固定できることを特徴とする。
【０００７】  請求項２に係わる発明は、請求項記載１の折りたたみ財布において、前記第２シート（２）にバックル（５）を備えることを特徴とする。
【０００８】  請求項３に係わる発明は、請求項記載１もしくは請求項記載２の折りたたみ財布において、前記第１シート（１）の前記一方の面に、第３シートを複数縫製し、カード類を入れるポケットを形成することを特徴とする。
【発明の効果】
【０００９】  請求項１に係わる発明においては、第１シート（１）の一方の面と第２シート（２）に紙幣（ａ）を挟み、第１シート（１）の他方の面を内側にして、第１シート（１）および第２シート（２）を二つ折りに閉じた状態にし、この状態を、留め具（３）および（４）で維持する。すると、二つ折りに閉じた状態の外側になる第２シート（２）は、第１シート（１）へ強く押し付けられることとなり、第１シート（１）との間に紙幣（ａ）を挟んで固定できる。
【００１０】  請求項２に係わる発明においては、前記第２シート（２）にバックル（５）を備えることにより、前記第２シート（２）の長さが調整可能になり、第１シート（１）との間に挟む紙幣（ａ）の枚数を増減させても、安定的に固定できる。
【００１１】  請求項３に係わる発明においては、カード収納部を設けることにより、カードの収納が可能になる。
【図面の簡単な説明】
【００１２】
【図１】第１の実施形態の全体構成を示す斜視図である。
【図２】第２の実施形態の全体構成を示す斜視図である。
【図３】図２のＡ−Ａ断面図である。
【図４】第１の実施例を示す斜視図である。
【図５】図４を二つ折りにした状態である。
【図６】図５のＢ−Ｂ断面図である。
【発明を実施するための形態】
【００１３】  以下、本発明の実施の形態について、図面を参照しながら説明する。
図１は、この発明の１実施形態を示す。図２は、第２の実施形態を示す。図３は、図２のＡ−Ｂ断面図である。図４は、第１の実施例を示す斜視図である。図５は、図４を二つ折りにした状態である。図６は、図５のＢ−Ｂ断面図である。
【００１４】  図１が示すように、この財布は丈夫なシート材料によって構成される。このシート材料は天然皮革もしくは合成皮革から構成される。第１シート（１）には留め具（３）と（４）が具備されており、それは、バネホック、ジャンパーホック、面ファスナー、もしくは磁石ホック等のオスとメスである。第２シート（２）も第１シート（１）同様の素材にて構成される。第２シート（２）の長手方向両端部は第１シート（１）に接着もしくは縫い合わせを行う。
【００１５】  この財布は、図４が示すように、第１シート（１）と第２シート（２）の間に紙幣（ａ）を入れ、第１シート（１）の中央部から留め具（３）と（４）が接続される方向に折り曲げることにより、紙幣（ａ）を図５のように収納する。
紙幣（ａ）を取り出すときは、留め具（３）と（４）をはずして第１シート（１）を平らに広げることにより可能になる。
【００１６】  図２において、第２シート（２）は二つに分割され、その一方にバックル（５）を備え、残り一方の第２シート（２）はバックル（５）を通すことにより、第２シート（２）全体を任意の長さに調整することが可能になる。これにより、紙幣（ａ）の枚数が増減しても、第２シート（２）の長さを調整することにより、紙幣（ａ）を挟み込む力を安定させることが可能になる。なお、バックルとは一般的に、美錠、尾錠、線おくり、コキなど、長さを調整する為に使用される部品を指す。
【００１７】  図２のように、第１シート（１）に最低でも１枚以上のシート（６）もしくはシート（７）を、それらシート部材の縁部分が合わさりあったところのみ接着、もしくは縫い合わせを行うことにより、カード入れ部が形成される。
【図１】
2014091039.tif 000003
【図２】
2014091039.tif 000004
【図３】
2014091039.tif 000005
【図４】
2014091039.tif 000006
【図５】
2014091039.tif 000007
【図６】
2014091039.tif 000008